(57)【要約】【課題】面発光装置及びこれを利用したディスプレイ装置を提供する。【解決手段】面発光装置は、光源１１０と、光源からの光が出射面１２３を通じて出射されるようにガイドする、出射面にホログラムパターン１２６が形成された導光板１２０と、を備え、ホログラムパターンは、導光板内に入射し導光板の側面１２０ａ，１２０ｂ，１２０ｃ，１２０ｄに達する前に４５°より大きい方位角でホログラムパターンに入射する光の出射効率が、導光板の側面で反射された後にホログラムパターンに入射する光の出射効率よりも低くなるように形成されることを特徴とする。【選択図】図４
2008108688.tif 000002
【特許請求の範囲】
【請求項１】
光源と、
前記光源からの光が出射面を通じて出射されるようにガイドする、前記出射面にホログラムパターンが形成された導光板と、を備え、
前記ホログラムパターンは、
前記導光板内に入射し導光板の側面に達する前に４５°より大きい方位角で前記ホログラムパターンに入射する光の出射効率が、前記導光板の側面で反射された後に前記ホログラムパターンに入射する光の出射効率よりも低くなるように形成されることを特徴とする面発光装置。
【請求項２】
前記導光板の側面で反射された後に前記ホログラムパターンに入射する光の方位角は、０゜以上であり、４５゜より小さいことを特徴とする請求項１に記載の面発光装置。
【請求項３】
前記導光板の側面で反射された後に前記ホログラムパターンに入射する光の方位角は、０゜であることを特徴とする請求項１に記載の面発光装置。
【請求項４】
前記出射面は四角形状であり、
前記出射面において、前記光源から照射される光の中心軸と前記出射面の一辺に沿う前記導光板の軸とがなす角が＋θであるとき、
前記ホログラムパターンの配列方向が前記軸となす角は、−θであることを特徴とする請求項１に記載の面発光装置。
【請求項５】
前記導光板の側面は、ミラー面であるか、
または前記導光板の側面に反射部材がさらに設けられることを特徴とする請求項１〜４のうちいずれか１項に記載の面発光装置。
【請求項６】
前記光源は、前記導光板の端に配置されることを特徴とする請求項１〜５のいずれか１項に記載の面発光装置。
【請求項７】
前記出射面は四角形状であり、
前記光源が、前記出射面の対角方向で対向する前記導光板の二つの端に配置されることを特徴とする請求項１〜５のいずれか１項に記載の面発光装置。
【請求項８】
前記導光板の出射面が、２辺の長さがそれぞれＬ，Ｗの直方形であり、前記出射面において、前記光源から照射される光の中心軸と長さＬである前記出射面の一辺に沿うＬ方向軸とがなす角（γ）が、下記の式で表されることを特徴とする請求項６に記載の面発光装置。
【数１】
2008108688.tif 000004
【請求項９】
請求項１に記載の面発光装置と、
前記面発光装置により照射する光を利用して画像を形成するディスプレイパネルと、を備えることを特徴とするディスプレイ装置。
【請求項１０】
前記導光板の側面は、ミラー面であるか、
または前記導光板の側面に反射部材がさらに設けられることを特徴とする請求項９に記載のディスプレイ装置。
【請求項１１】
前記光源は、前記導光板の端に配置されることを特徴とする請求項９または１０に記載のディスプレイ装置。
【請求項１２】
前記出射面は四角形状であり、
前記光源が、前記出射面の対角方向で対向する前記導光板の二つの端に配置されることを特徴とする請求項９または１０に記載のディスプレイ装置。
【請求項１３】
前記導光板の出射面が、２辺の長さがそれぞれＬ，Ｗの直方形であり、前記出射面において、前記光源から照射される光の中心軸と長さＬである前記出射面の一辺に沿うＬ方向軸とがなす角（γ）が、下記の式で表されることを特徴とする請求項１１に記載のディスプレイ装置。
【数２】
2008108688.tif 000005
【発明の詳細な説明】
【技術分野】
【０００１】
本発明は、垂直出射光量を増加させ、また、光が全面に均一に分布されるように出射する面発光装置に関する。
【背景技術】
【０００２】
面発光装置は、例えば、自ら発光せず、外部から供給される光を利用して画像を形成する液晶表示装置（Ｌｉｑｕｉｄ  Ｃｒｙｓｔａｌ  Ｄｉｓｐｌａｙ；ＬＣＤ）のバックライトなどに利用される。
【０００３】
面発光装置は、光源の配置形態によって直下型とエッジライト型とに分類される。直下型は、液晶パネルの直下に設置された光源が、光を液晶パネルに直接的に照射する方式であり、エッジライト型は、導光板の側面に光源が配置される方式である。直下型は、光源を広い面積に自由かつ効果的に配置できるので、大型ディスプレイに、エッジライト型は、光源が導光板の側面に配置されて、薄型化及び小型化に有利な構造であるので、モニタや携帯電話に採用される中小型のディスプレイに主に利用される。
【０００４】
図１は、従来のエッジライト型の面発光装置を概略的に示す図面である。図１に示すように、面発光装置は、光源１０と、前記光源１０からの光を側面から入射させて、上部に出射する導光板１２と、を備える。導光板１２は、入射された光を全反射により導光板内で伝播させ、上部に出射させるものであって、出射面になる導光板の上面にホログラムパターン１４を備えている。ホログラムパターン１４は、光を回折させて出射面との角度が垂直に近い光として出射させるためのものである。
【０００５】
このような面発光装置は、全面にわたって均一な輝度で光を照射することが要求され、エッジライト型の面発光装置の場合、光分布の均一性の面においていくつかの問題点がある。
【０００６】
ホログラムパターンが形成された導光板から出射される光の分布は、ホログラムパターンへの入射角によって変わる。均一な輝度分布の光を出射するためには、出射角を一定に調節する必要がある。
【０００７】
また、前記の構造の面発光装置の場合、光源から遠い位置では、光源から離れるほど光源からの光が減少するので、発光量が足りない。さらに、光源から近い地点にホットスポットが生じ、その周辺に暗部が発生するという問題点がある。
【０００８】
その問題点を解決するために多様な方法が試みられている。導光板のホログラムパターンを入光部の近くでははっきりと形成させない方法、入光部から側面方向に散乱させるための別途のパターンを挿入する方法、または光源の発散角を大きくするために、入光部の形状を別途に設計製作して使用する方法などがある。
【発明の開示】
【発明が解決しようとする課題】
【０００９】
本発明は、前記問題点に鑑みてなされたものであって、全面に均一な輝度分布を有する光を出射する面発光装置を提供することを目的とする。
【課題を解決するための手段】
【００１０】
前記目的を達成するための本発明に係る面発光装置は、光源と、前記光源からの光が出
射面を通じて出射されるようにガイドする、前記出射面にホログラムパターンが形成された導光板と、を備え、前記ホログラムパターンは、前記導光板内に入射し導光板の側面に達する前に４５°より大きい方位角で前記ホログラムパターンに入射する光の出射効率が、前記導光板の側面で反射された後に前記ホログラムパターンに入射する光の出射効率よりも低くなるように形成されることを特徴とする。
【発明の効果】
【００１１】
本発明の面発光装置は、ホログラムパターンを備え、前記ホログラムパターンは、導光板に入射された光が、最初、出射効率の低い角度分布を有してホログラムパターンに到達し、側面で反射された後に出射効率の高い角度分布を有してホログラムパターンに到達するように形成されることを特徴とする。これにより、光源から近い地点でのホットスポットの発生を抑制することができ、また出射光の角度分布が高度角約０°の近辺に集まり、輝度分布が均一になるという利点がある。したがって、ディスプレイ装置に利用することにより優れた画像特性を実現することができる。
【発明を実施するための最良の形態】
【００１２】
以下、添付された図面を参照して、本発明の望ましい実施形態に係るコリメーティング拡散板と、それを採用したディスプレイ装置とを詳細に説明する。しかし、下記に例示される実施形態は、本発明の範囲を限定するものではなく、本発明を当業者に十分に説明するために提供されるものである。以下の図面において同じ参照符号は、同じ構成要素を示し、図面上で各構成要素のサイズは、説明の明瞭性及び便宜のために誇張されうる。
【００１３】
図２は、ホログラムパターンに到達する光の高度角α及び方位角δの定義を示す図面である。高度角は、光の進行ベクトルｋと出射面の法線とがなす角であり、方位角は、光の進行ベクトルを出射面に投影したベクトルとホログラムパターンの配列方向とがなす角である。図２で、ｘ−ｙ平面がホログラムパターンの形成された面であり、ｘ方向がホログラムパターンの配列方向であると仮定すれば、ｚ軸とベクトルｋとがなす角αが高度角であり、ベクトルｋ’がｘ軸となす角δが方位角である。図３は、ホログラムパターンが形成された導光板から出射される光の出射効率分布を、ホログラムパターンに到達する光の高度角α及び方位角δによって示す図面である。図３に示すように、高度角及び方位角のうち、出射光量に主な影響を及ぼすものは方位角であり、方位角が約４５°以上である場合、出射光は急減するということが分かる。したがって、本発明では、ホログラムパターンに到達する光の方位角を適切に調節して出射光量を調節する。
【００１４】
図４は、本発明の実施形態に係る面発光装置を概略的に示す図面である。
【００１５】
図４に示すように、面発光装置１００は、光源１１０及び導光板１２０を備え、導光板１２０の上面には、ホログラムパターン１２６が形成されている。
【００１６】
光源１１０としては、例えば、ＬＥＤ（Ｌｉｇｈｔ  Ｅｍｉｔｔｉｎｇ  Ｄｉｏｄｅ）を採用することができる。導光板１２０は、光源１１０から照射された光を内部で進行させて上部に出射させるためのものであって、導光板１２０の上面が出射面１２３となる。導光板１２０の材質としては、例えば、ＰＭＭＡ（ポリメチルメタクリレート）、ＰＣ（ポリカーボネート）のような透光性の材料が使用される。導光板１２０は、所定の角度で入射された光を全反射させて、内部で進行させて上部に出射させるものであるので、光は、導光板１２０の下面１２０ｅ及び側面１２０ａ〜１２０ｄで全反射が起こるように、臨界角より大きい角で入射せねばならない。または、そのために、下面１２０ｅ及び側面１２０ａ〜１２０ｄをミラー面として加工するか、下面１２０ｅ及び側面１２０ａ〜１２０ｄに反射部材（図示せず）を設けることが望ましい。
【００１７】
導光板１２０は、ホログラムパターン１２６を備える。以下では、ホログラムパターン１２６が導光板１２０の上面である出射面１２３に形成されたものとして図示して説明するが、これは、例示的なものであり、導光板の下面１２０ｅに形成されるか、または出射面１２３と下面１２０ｅとの両方に形成されてもよい。ホログラムパターン１２６は、深さｄである溝が、一定の方向に沿って所定のピッチｐで平行に反復して配列された回折格子の形状になっている。ホログラムパターン１２６の深さｄやピッチｐは、一定であってもよく、出射面１２３の各位置で異なる値を有するように形成されてもよい。
【００１８】
本発明の実施形態において、ホログラムパターン１２６の配列方向は、導光板１２０の内部を進行する光の主方向を考慮して形成される。すなわち、光源１１０から照射される光の方向と、ホログラムパターン１２６の配列方向とは、次の関係を有するように形成される。光源１１０から照射されて導光板１２０に入射された光が、初めにホログラムパターン１２６に到達するとき、その方位角の分布は、出射効率の低い角度分布を有し、導光板１２０の側面１２０ａ〜１２０ｄのうち何れか一つで反射された後、ホログラムパターン１２６に到達するときには、その方位角の分布が出射効率の高い角度分布を有するように形成される。例えば、図３で説明したものを参照すれば、ホログラムパターン１２６に初期入射する光は、方位角が約４５°より大きい角となり、側面反射後にホログラムパターン１２６に入射する光は、方位角が４５°より十分に小さい角、望ましくは、０°に近い角になるように、ホログラムパターン１２６及び光源１１０の配置が設計される。
【００１９】
光源１１０及びホログラムパターン１２６の配置を詳細に説明すれば、次の通りである。
【００２０】
光源１１０は、前記光源１１０からの光が導光板１２０の側面１２０ａ〜１２０ｄで反射されることにより、ホログラムパターン１２６に入射される方位角が変わるように、導光板１２０の側面１２０ａ〜１２０ｄのうち何れか一つに向って光を照射する。例えば、光源１１０は、導光板１２０の横軸に対して所定の角度を有するように配置されて、側面１２０ａに向って光を照射する。図４において、長さＬである出射面１２３の一辺を導光板１２０の横軸とし、横軸に沿う方向をｘ軸方向とする。光源１１０は、ｘ軸と角γをなす方向に光を照射するように配置される。なお、図４において、長さＷである出射面１２３の一辺を導光板の縦軸とし、縦軸に沿う方向をｙ軸方向とする。
【００２１】
ホログラムパターン１２６の配列方向は、光が側面１２０ａで反射された後、ホログラムパターン１２６に入射する方位角が約０°になるように形成される。すなわち、ホログラムパターン１２６の配列方向は、光が側面１２０ａで反射された後の進行方向と一致するように形成される。ここで、ホログラムパターン１２６の配列方向は、所定の形状が繰り返されている方向を意味し、本実施形態では所定のピッチｐで形成された溝が並んでいる方向である。側面１２０ａで反射された光は、ｘ軸と−γ角をなす方向に向かうため、ホログラムパターン１２６の配列方向も、ｘ軸に対して−γ角をなすように形成される。
【００２２】
前記光源１１０は、図示したように、導光板１２０の角に配置されてもよく、この場合、光源１１０からの光は、導光板の三つの側面１２０ａ、１２０ｂ、１２０ｃでそれぞれ反射された後、他の角に向うように、前記角γは、次の通りに決定されることが望ましい。
【００２３】
【数１】
2008108688.tif 000003
【００２４】
前記の構造の面発光装置１００が、出射面１２３の全体で均一な輝度分布を有する光を出射する過程は、次の通りである。光源１１０から導光板１２０の側面１２０ａに向って光が照射される。光は、導光板１２０の側面１２０ａに到達する前に、導光板１２０の下面１２０ｅまたは出射面１２３に到達する。導光板１２０の下面１２０ｅに到達する光は全反射され、出射面１２３に到達する光は、ホログラムパターン１２６となす角によって出射または反射される。特に、ホログラムパターン１２６に入射する方位角が主な要因となることは、図３で説明した通りである。光源１１０から照射する光は、導光板２２０の横軸（ｘ軸）とγ角をなし、したがって、ホログラムパターン１２６に入射する方位角、すなわち、出射面でホログラムパターン１２６の配列方向となす角は、２γとなる。この値は、出射効率の低い角、例えば、４５°より十分に大きい値として選択され、したがって、光は、上部に出射されずに反射される。導光板１２０の側面１２０ａに到達した光は全反射されて、他の側面１２０ｂに向う。このとき、出射面１２３から見た光の方向は、導光板１２０の横軸（ｘ軸）に対して−γ角をなす。一方、ホログラムパターン１２６の配列方向も、ｘ軸と−γ角をなす方向に形成されているので、ホログラムパターン１２６に入射する方位角は、０°になって、出射効率が高い。また、ホログラムパターン１２６に到達せず、側面１２０ｂで反射されて側面１２０ｃに向う光は、今度は、ホログラムパターン１２６となす方位角が２γであり、この値は、約４５°より大きい値として選択されたので、光は、出射されずに反射される。光が再び側面１２０ｃで反射された場合、ｘ軸に対して−γの方向を有し、ホログラムパターン１２６となす方位角が０°になって出射される。このように、光源１１０に近い地点でホログラムパターン１２６に入射する光は、ほとんど側面で反射することなくホログラムパターン１２６に入射する光であり、ホログラムパターン１２６との方位角が大きい値を有するので、出射効率が低い。したがって、光源と近い地点で発生するホットスポットが発生する恐れがない。
【００２５】
図５は、図４の実施形態による面発光装置において、ホログラムパターン１２６の深さｄを一定にした場合の出射面での光分布を示すシミュレーション図面である。図５に示すように、光源１１０から近い地点でホログラムパターン１２６に入射する光は、方位角が大きいため、出射効率が低く、入光部でのホットスポットが非常に低減する。逆に、側面で１回反射し、ホログラムパターンに到達する光が多く分布した部分で輝度が高いということが分かる。輝度をさらに均一にするために、ホログラムパターン１２６の深さｄを調節することが望ましい。図６は、図５の光分布を考慮して、輝度の低い所でホログラムパターン１２６の深さを深く分布させたものである。図６において（ｘ，ｙ）座標が（０，０）である点が光源１１０の位置である。図７Ａ及び図７Ｂは、図４の面発光装置１００でホログラムパターン１２６の深さｄを図６のように分布させた場合、出射光の分布を示すシミュレーション図面である。図７Ａは、出射角による光の分布を示し、出射光は、高度角αの０°の近辺にほとんど分布している。図７Ｂは、光分布を出射面上で示すものであり、光は、出射面の全体にわたって均一な輝度で分布しているということを示す。図７Ｂにおいて、（ｘ，ｙ）座標が（０，０）である点が光源１１０の位置である。
【００２６】
図８は、本発明の他の実施形態による面発光装置を示す。図８に示すように、面発光装置２００は、光源２１０及び導光板２２０を備え、導光板２２０の上面には、ホログラムパターン２２６が形成されている。導光板２２０の側面２２０ａ〜２２０ｄ及び下面（図示せず）は、ミラー面として加工されるか、または側面２２０ａ〜２２０ｄ及び下面（図示せず）に反射部材（図示せず）が設けられる。
【００２７】
本実施形態は、光源２１０及びホログラムパターン２２６の詳細な配置でのみ図４の実施形態と異なる。すなわち、光源２１０及びホログラムパターン２２６は、光源２１０から照射されて導光板２２０に入射された光が、初めにホログラムパターン２２６に到達するときには、その方位角の分布が出射効率の低い角度分布を有し、導光板２２０の側面で反射された後にホログラムパターン２２６に到達するときには、その方位角の分布が出射
効率の高い角度になるように形成されるという点で図４の実施形態と同じであり、本実施形態は、これを具現する他の例として提示されるものである。
【００２８】
光源２１０から照射される光は、一般的に発散角を有しており、光源２１０から放射状に進む。すなわち、導光板２２０の各位置を通過する光の方向は、一つではない。したがって、本実施形態は、内部で進行する光の方向を考慮して、ホログラムパターン２２６の配列方向を出射面２２３の各位置で変えて形成している。例えば、導光板２２０に最初に入射し、側面２２０ａに１回反射して進行する光が主に出射されるＢ領域と、側面２２０ａ、２２０ｂ、２２０ｃで３回反射した後に進行する光が主に出射されるＡ領域とに分けられる。この場合、Ａ、Ｂの二つの領域で進行する光は、それぞれ点Ｐ１、点Ｐ２に光源が位置したような経路で進行する。したがって、Ａ領域でホログラムパターン２２６の配列方向は、点Ｐ１から導光板の側面２２０ｃに向って放射状に照射する光の進行方向と一致するように形成し、Ｂ領域でホログラムパターン２２６の配列方向は、点Ｐ２から側面２２０ｂに向って放射状に広がる光の進行方向と一致するように形成される。このように、導光板２２０の各位置で導光板２２０の内部を進行する光の方向を考慮してホログラムパターンの配列方向を調節すれば、あらゆる位置でさらに均一な輝度の光を出光させることができる。図９は、本実施形態のホログラムパターン２２６の配列方向の分布図であり、配列方向は、ｘ軸に対する角度で表している。
【００２９】
図１０Ａ及び図１０Ｂは、図８の実施形態による面発光装置２００から出射される光の分布を示すシミュレーション図面である。図１０Ｂにおいて、（ｘ，ｙ）座標が（０，０）である点が光源２１０の位置である。ホログラムパターン２２６の深さの分布は、図６の通りである。図１０Ａは、出射角による光の分布を示し、出射光は、高度角αが０°の近辺にほとんど分布されている。図１０Ｂは、光の分布を出射面上で示したものであって、光は、出射面全体にわたって均一な輝度で分布しているということが分かる。本実施形態の場合、光ビームが放射状に進行することを考慮して、ホログラムパターン２２６の配列方向を一定にするのではなく、出射面の各位置で変えて形成することによって、特に、図７Ａと比較して、出射面に対して垂直な出射光がさらに増加した。
【００３０】
図１１は、本発明の他の実施形態による面発光装置を示す図面である。図１１に示すように、面発光装置３００は、光源３１０、３１２及び導光板３２０を備え、導光板３２０の上面には、ホログラムパターン３２６が形成されている。導光板３２０の側面３２０ａ〜３２０ｄ及び下面（図示せず）は、ミラー面として加工されるか、または側面３２０ａ〜３２０ｄ及び下面（図示せず）に反射部材（図示せず）が設けられる。
【００３１】
本実施形態は、光源３１０、３１２及びホログラムパターン３２６の詳細な配置でのみ図４及び図８の実施形態と異なる。すなわち、光源３１０、３１２及びホログラムパターン３２６は、光源３１０、３１２から照射されて導光板３２０に入射された光が初めにホログラムパターン３２６に到達するときには、その方位角の分布が出射効率の低い角度分布を有し、導光板３２０の側面で反射された後にホログラムパターン３２６に到達するときには、その方位角の分布が出射効率の高い角度分布を有するように形成されるという点で、図４及び図８の実施形態と同様であり、本実施形態は、これを具現する他の例として提示される。
【００３２】
本実施形態において、光源３１０、３１２は、導光板３２０の対角方向に位置する二つの角にそれぞれ配置される。この場合にも、導光板３２０の内部を進行する光の方向を考慮して、ホログラムパターン３２６の配列方向を出射面３２３の各位置で変えて形成する。例えば、導光板３２０の領域をＣ、Ｄ、Ｅの三つの領域に分けられる。領域Ｃから出射される光は、第２光源３１２から出射され側面３２０ｃで１回反射して進行する光がほとんどである。すなわち、領域Ｃでは、点Ｐ３の位置に光源が存在し、側面３２０ｄに向う
光の放射と同じ経路で光が進行する。したがって、ホログラムパターン３２６の配列方向も、この進行方向と一致させる。領域Ｅから出射される光は、第１光源３１０から出射され側面３２０ａで１回反射して進行する光がほとんどである。すなわち、領域Ｅでは、点Ｐ４の位置に光源が存在し、側面３２０ｂに向う光の放射と同じ経路で光が進行する。したがって、ホログラムパターン３２６の配列方向も、この進行方向と一致させる。領域Ｄから出射する光は、第１光源３１０からの光が側面３２０ａ、３２０ｂ、３２０ｃで３回反射して進行する光と、第２光源３１２からの光が側面３２０ｃ、３２０ｄ、３２０ａで３回反射して進行する光とが共に存在する。したがって、領域Ｄには、領域Ｃや領域Ｅとは異なり、一定の方向にホログラムパターン３２６を形成することが望ましい。例えば、光源３１０、３１２から放射状に照射する光ビームの中心軸が、導光板３２０の横軸（ｘ軸）となす角がγであれば、ホログラムパターン３２６の配列方向は、−γとする。
【００３３】
以上で説明した面発光装置において、光源の数及び位置を特定して説明したが、これは、例示的なものである。光源は、角だけでなく、側面の他の位置に配置されてもよい。三つ以上の多数の光源が配置されてもよく、この場合、平行に配置されるか、または図１１のように、対向するように配置されてもよい。すなわち、光源からの光が導光板の側面に反射することにより、ホログラムパターンに入射する方位角が変わり、特に、このときの方位角が、出射効率の低い角度から出射効率の高い角度に変わりうる構成であれば、いかなる配置も可能である。
【００３４】
また、ホログラムパターンは、出射面である導光板の上面に形成されたものとして図示して説明したが、これだけでなく、導光板の下面に形成されてもよく、上面と下面との両方に形成されてもよい。
【００３５】
図１２は、本発明の実施形態に係るディスプレイ装置５００を示す図面である。ディスプレイ装置５００は、面発光装置１００と、面発光装置１００から照射された光を利用して画像を形成するディスプレイパネル４００とを備える。ディスプレイパネル４００は、例えば、液晶パネルから構成することができる。面発光装置１００が、光源１１０と、ホログラムパターン１２６が形成された導光板１２０とを備え、出射面全体で均一な輝度の光を照射する作用は、前述した通りであるので、これについての説明は省略する。また、図面では、面発光装置を、図４の実施形態の面発光装置１００として図示したが、図８及び図１１の面発光装置（図８の２００、図１１の３００）も採用可能である。本発明のディスプレイ装置は、出射面に対して垂直な出射光が増加し、光分布の均一な光を照射する面発光装置を採用するので、輝度特性などの画像品質に優れる。
【００３６】
前記の実施形態は、例示的なものに過ぎず、当業者ならば、これから多様な変形及び均等な他の実施形態が可能である。したがって、本発明の真の技術的な保護範囲は、特許請求の範囲内で決まらねばならない。
【産業上の利用可能性】
【００３７】
本発明は、面発光装置に関連した技術分野に好適に適用され得る。
【図面の簡単な説明】
【００３８】
【図１】従来の面発光装置を示す概略的な図面である。
【図２】ホログラムパターンに到達する光の高度角α及び方位角δの定義を説明する図面である。
【図３】ホログラムパターンが形成された導光板から出射される光の出射効率分布を、ホログラムパターンに到達する光の高度角α及び方位角δによって示す図面である。
【図４】本発明の実施形態に係る面発光装置を概略的に示す図面である。
【図５】図４の面発光装置において、ホログラムパターンの深さを一定にした場合の出射面での光分布を示すシミュレーション図面である。
【図６】図４の面発光装置において、ホログラムパターンの深さの分布を示す図面である。
【図７Ａ】図４の面発光装置において、ホログラムパターンの深さを図６のように分布させた場合の出射角による出射光の分布を示すシミュレーション図面である。
【図７Ｂ】図４の面発光装置において、ホログラムパターンの深さを図６のように分布させた場合の出射光の分布を出射面上で示すシミュレーション図面である。
【図８】本発明の他の実施形態に係る面発光装置を概略的に示す図面である。
【図９】図８の面発光装置のホログラムパターンの配列方向の分布を示す図面である。
【図１０Ａ】図８の面発光装置において、ホログラムパターンの深さを図６のように分布させた場合の出射角による出射光の分布を示すシミュレーション図面である。
【図１０Ｂ】図８の面発光装置において、ホログラムパターンの深さを図６のように分布させた場合の出射光の分布を出射面上で示すシミュレーション図面である。
【図１１】本発明の他の実施形態に係る面発光装置を概略的に示す図面である。
【図１２】本発明の実施形態に係るディスプレイ装置を概略的に示す図面である。
【符号の説明】
【００３９】
１００    面発光装置、
１１０    光源、
１２０    導光板、
１２０ａ，１２０Ｂ，１２０ｃ，１２０ｄ    側面、
１２０ｅ    下面、
１２３    出射面、
１２６    ホログラムパターン、
ｄ    深さ、
ｐ    ピッチ。
【図１】
2008108688.tif 000006
【図２】
2008108688.tif 000007
【図４】
2008108688.tif 000008
【図８】
2008108688.tif 000009
【図１１】
2008108688.tif 000010
【図１２】
2008108688.tif 000011
【図３】
2008108688.tif 000012
【図５】
2008108688.tif 000013
【図６】
2008108688.tif 000014
【図７Ａ】
2008108688.tif 000015
【図７Ｂ】
2008108688.tif 000016
【図９】
2008108688.tif 000017
【図１０Ａ】
2008108688.tif 000018
【図１０Ｂ】
2008108688.tif 000019